(57)【要約】【課題】汎用性が高く、且つ、携帯所持が容易な内掛け式眼鏡を提供する。【解決手段】内掛け式眼鏡１は、本体眼鏡７の内側に装着されて使用される。内掛け式眼鏡１は、レンズ２、リム３、及び、ブリッジ４を少なくとも有するレンズ組立体１１、及び、レンズ組立体１１のうち左右両端部のそれぞれに設けられた延設部材５であって、一端部がレンズ組立体１１に回転可能に支持され、且つ、一端部から他端部に向かう方向が外方向に延びた第１状態と内方向に延びた第２状態とに切り替え可能である延設部材５を備える。内掛け式眼鏡１は、本体眼鏡７のヨロイ９１の上側に、第１状態に切り替えられた延設部材５が係止されることによって、本体眼鏡７に装着される。【選択図】図５
0003205656.tif 000002
【実用新案登録請求の範囲】
【請求項１】
本体眼鏡の内側に装着される内掛け式眼鏡であって、
所定方向に配列された２つのレンズ、及び、前記２つのレンズを保持する保持部材を少なくとも有するレンズ組立体と、
前記レンズ組立体のうち前記所定方向の両端部のそれぞれに設けられた一対の延設部材であって、
一端部が前記レンズ組立体に回転可能に支持され、且つ、
前記一端部から、前記一端部と対向する他端部に向かう方向が、前記レンズ組立体から離隔する方向である外方向に延びた第１状態と、前記レンズ組立体に近接する方向である内方向に延びた第２状態とに切り替え可能である一対の延設部材と
を備え、
前記本体眼鏡の２つのヨロイ及びテンプルの少なくとも何れかの上側に、前記第１状態に切り替えられた前記一対の延設部材が係止されることによって、前記本体眼鏡に装着されることを特徴とする内掛け式眼鏡。
【請求項２】
前記一対の延設部材のそれぞれは、前記本体眼鏡の２つのヨロイ及びテンプルの何れかに係合する凹部を有することを特徴とする請求項１に記載の内掛け式眼鏡。
【請求項３】
前記一対の延設部材のそれぞれを前記第１状態とした場合の、それぞれの前記他端部の間の長さが、前記本体眼鏡の２つのヨロイ及びテンプルの近接部分の間の長さよりも長く、
前記一対の延設部材のそれぞれを前記第２状態とした場合の、それぞれの前記一端部の間の長さが、前記本体眼鏡の２つのヨロイ及びテンプルの近接部分の間の長さよりも短いことを特徴とする請求項１又は２に記載の内掛け式眼鏡。
【請求項４】
前記一対の延設部材のそれぞれは、
前記一端部と前記他端部との間に亘って延びる板状部と、
前記板状部の各面に設けられた凹凸によって形成された装飾部と
を備えたことを特徴とする請求項１から３の何れかに記載の内掛け式眼鏡。
【請求項５】
前記板状部は、
前記２つのレンズの配列方向に沿って延びる第１部分と、
前記第１部分から、前記配列方向と交差する方向に延びる第２部分と
を備えたことを特徴とする請求項４に記載の内掛け式眼鏡。
【請求項６】
前記レンズ組立体の２つのレンズは、近視用レンズ、遠視用レンズ、及び、遠近両用レンズの何れかであることを特徴とする請求項１から５の何れかに記載の内掛け式眼鏡。
【考案の詳細な説明】
【技術分野】
【０００１】
本考案は、本体眼鏡に対して着脱可能に装着される着脱式眼鏡のうち、本体眼鏡の内側に装着される内掛け式眼鏡に関する。
【背景技術】
【０００２】
本体眼鏡に対して着脱可能に装着される着脱式眼鏡が知られている。着脱式眼鏡の具体例として、サングラスや補助用度付きレンズ等にフックを設け、このフックを本体眼鏡に掛けるようにして本体眼鏡に装着できるようにした補助眼鏡がある。着脱式眼鏡には、本体眼鏡の前側に装着される前掛け式眼鏡と、本体眼鏡の内側に装着される内掛け式眼鏡とがある。特許文献１は、内掛け式眼鏡の一例である、内掛けフレームを開示する。この内掛けフレームは、左右両端部に係止部を有する。係止部は、本体眼鏡の左右両側のヨロイの後側に設けられた被係止部に係止される。これによって、内掛けフレームは本体眼鏡に装着される。
【先行技術文献】
【特許文献】
【０００３】
【特許文献１】特開２００８−２５７１４８号公報
【考案の概要】
【考案が解決しようとする課題】
【０００４】
上記の内掛けフレームを本体眼鏡に装着するためには、本体眼鏡に被係止部が設けられている必要がある。このため、内掛けフレームを装着可能な本体眼鏡が制約されるので、内掛けフレームの汎用性が低いという問題点がある。
【０００５】
ここで、内掛け眼鏡の汎用性を高めるために、左右両端部の係止部のそれぞれの長さを外側に延ばし、本体眼鏡のヨロイ又はテンプルに係止部を上側から引っ掛けることによって、内掛け眼鏡を本体眼鏡に装着することも考えられる。しかし、この場合、内掛け眼鏡全体の左右方向の長さが大きくなるので、内掛け眼鏡を携帯して所持するときに、係止部が邪魔になる場合があるという問題点がある。
【０００６】
本考案の目的は、汎用性が高く、且つ、携帯所持が容易な内掛け式眼鏡を提供することである。
【課題を解決するための手段】
【０００７】
本考案の内掛け式眼鏡は、本体眼鏡の内側に装着される内掛け式眼鏡であって、所定方向に配列された２つのレンズ、及び、前記２つのレンズを保持する保持部材を少なくとも有するレンズ組立体と、前記レンズ組立体のうち前記所定方向の両端部のそれぞれに設けられた一対の延設部材であって、一端部が前記レンズ組立体に回転可能に支持され、且つ、前記一端部から、前記一端部と対向する他端部に向かう方向が、前記レンズ組立体から離隔する方向である外方向に延びた第１状態と、前記レンズ組立体に近接する方向である内方向に延びた第２状態とに切り替え可能である一対の延設部材とを備え、前記本体眼鏡の２つのヨロイ及びテンプルの少なくとも何れかの上側に、前記第１状態に切り替えられた前記一対の延設部材が係止されることによって、前記本体眼鏡に装着されることを特徴とする。
【０００８】
上記の内掛け式眼鏡では、第１状態に切り替えられた一対の延設部材が、本体眼鏡の２つのヨロイ及びテンプルの少なくとも何れかの上側に係止されることによって、本体眼鏡に装着される。従って、内掛け式眼鏡を装着するための専用部材が本体眼鏡に設けられていない場合でも、内掛け式眼鏡を本体眼鏡に装着できるので、内掛け式眼鏡の汎用性を高めることができる。又、一対の延設部材が第２状態に切り替えられた状態で、一対の延設部材は、レンズ組立体に対して内側に配置される。この場合、一対の延設部材は、レンズ組立体に対して外側に突出しないので、ユーザは、内掛け式眼鏡を携帯所持することが容易に可能となる。
【０００９】
本考案において、前記一対の延設部材のそれぞれは、前記本体眼鏡の２つのヨロイ及びテンプルの何れかに係合する凹部を有してもよい。この場合、内掛け式眼鏡を本体眼鏡に安定的に係止させることができる。
【００１０】
本考案において、前記一対の延設部材のそれぞれを前記第１状態とした場合の、それぞれの前記他端部の間の長さが、前記本体眼鏡の２つのヨロイ及びテンプルの近接部分の間の長さよりも長く、前記一対の延設部材のそれぞれを前記第２状態とした場合の、それぞれの前記一端部の間の長さが、前記本体眼鏡の２つのヨロイ及びテンプルの近接部分の間の長さよりも短くてもよい。この場合、一対の延設部材を第１状態とした場合に、内掛け式眼鏡を本体眼鏡に安定的に係止させることができる。一方、一対の延設部材を第２状態とした場合に、内掛け式眼鏡の携帯性を高めることができる。
【００１１】
本考案において、前記一対の延設部材のそれぞれは、前記一端部と前記他端部との間に亘って延びる板状部と、前記板状部の各面に設けられた凹凸によって形成された装飾部とを備えてもよい。この場合、内掛け式眼鏡は、延設部材の板状部をユーザが指でつまんだときに滑ることを、凹凸によって形成された装飾部によって防止できる。
【００１２】
本考案において、前記板状部は、前記２つのレンズの配列方向に沿って延びる第１部分と、前記第１部分から、前記配列方向と交差する方向に延びる第２部分とを備えてもよい。この場合、ユーザは、延設部材の第２部分を指で容易につまむことができる。
【００１３】
本考案において、前記レンズ組立体の２つのレンズは、近視用レンズ、遠視用レンズ、及び、遠近両用レンズの何れかであってもよい。この場合、内掛け式眼鏡を、近視用、遠視用、及び、遠近両用の何れかの補助眼鏡として使用できる。
【図面の簡単な説明】
【００１４】
【図１】延設部材５が第１状態である場合の内掛け式眼鏡１の斜視図である。
【図２】延設部材５が第１状態である場合の内掛け式眼鏡１を後方から見た図である。
【図３】延設部材５が第２状態である場合の内掛け式眼鏡１の斜視図である。
【図４】延設部材５が第２状態である場合の内掛け式眼鏡１を後方から見た図である。
【図５】本体眼鏡７に内掛け式眼鏡１が装着される様子を示す図である。
【図６】本体眼鏡７に内掛け式眼鏡１が装着された様子を示す図である。
【図７】内掛け式眼鏡１のみが使用される様子を示す図である。
【図８】眼鏡ケース６を示す図である。
【考案を実施するための形態】
【００１５】
本考案の一実施の形態の内掛け式眼鏡１（図１等参照）について、図面を参照して説明する。内掛け式眼鏡１は、本体眼鏡７（図５参照）に取り付けて使用される補助眼鏡である。なお、内掛け式眼鏡１は、遠視用の本体眼鏡７に装着される近視用の眼鏡、近視用の本体眼鏡７に装着される遠視用の眼鏡、遠視用又は近視用の本体眼鏡７に装着される遠近両用の眼鏡、遠視又は近視用の本体眼鏡７に装着される老眼用の眼鏡の何れかであってもよい。又、内掛け式眼鏡１は度付き眼鏡に限定されず、度なし眼鏡であってもよい。以下、図１の左下側、右上側、左上側、右下側、上側、及び、下側を、それぞれ、内掛け式眼鏡１の左側、右側、前側、後側、上側、及び、下側という。なお、内掛け式眼鏡１の方向は、内掛け式眼鏡１が装着された本体眼鏡７をかけたユーザから見た方向に対応する。
【００１６】
図１〜図４に示すように、内掛け式眼鏡１は、レンズ２、リム３、ブリッジ４、延設部材５を有する。以下、レンズ２、リム３、及び、ブリッジ４を総称して「レンズ組立体１１」という。
【００１７】
＜レンズ組立体１１＞
レンズ２は、レンズ２１、２２を有する。レンズ２１、２２の形状は、それぞれ、正面視にて左右方向に長い略楕円形である。レンズ２１、２２は、左右方向に配列する。レンズ２１は、レンズ２２に対して左側に配置される。レンズ２１、２２の光軸は、前後方向を向く。例えば、レンズ２１、２２は、内掛け式眼鏡１が近視用の眼鏡の場合に近視用凹レンズであり、遠視用の眼鏡のときに遠視用凸レンズであり、遠近両用の眼鏡の場合に遠近両用レンズである。なお、レンズ２１、２２の形状は、略楕円形に限定されず、円形、略三角形、略四角形、略台形等であってもよい。
【００１８】
リム３は、レンズ２を保持するフルリムである。リム３は、リム３１、３２を有する。リム３１はレンズ２１の周囲を覆う。リム３１はレンズ２１を保持する。以下、リム３１のうちレンズ２１の上端を覆う部分を、「上枠部３１Ａ」といい、レンズ２１の左端を覆う部分を、「左枠部３１Ｂ」という。リム３２はレンズ２２の周囲を覆う。リム３２はレンズ２２を保持する。以下、リム３２のうちレンズ２２の上端を覆う部分を、「上枠部３２Ａ」といい、レンズ２２の右端を覆う部分を、「右枠部３２Ｂ」という。なお、リム３の形状はフルリムに限定されず、ハーフリム、アンダーリム等であってもよい。リム３は着色されていてもよいし、透明でもよい。
【００１９】
ブリッジ４は、リム３１、３２を接続する。ブリッジ４は、リム３１の上枠部３１Ａの右端と、リム３２の上枠部３２Ａの左端との間に架設される。ブリッジ４の左右略中央部分は、前側に僅かに湾曲する。リム３１、３２がブリッジ４によって接続されることによって、レンズ２１、２１は、左右方向に配列した状態で保持される。以下、リム３及びブリッジ４を総称して、「保持部材１２」という。
【００２０】
＜延設部材５＞
延設部材５は、延設部材５１、５２を有する。延設部材５１、５２は、板状の部材である。延設部材５１、５２は同一形状を有する。延設部材５１は、リム３１の左枠部３１Ｂに設けられ、延設部材５２は、リム３２の右枠部３２Ｂに設けられる。延設部材５１は、第１部分５１０Ａ及び第２部分５１０Ｂを有する。第１部分５１０Ａは、リム３１の左枠部３１Ｂから水平に延びる。第２部分５１０Ｂは、第１部分５１０Ａのうちリム３１側と反対側から、下側に向けて延びる。延設部材５１の一方側の面及び他方側の面に、複数の凸部５１Ｂが形成される。複数の凸部５１Ｂは、延設部材５１の第１部分５１０Ａ及び第２部分５１０Ｂのそれぞれの各面から突出する。複数の凸部５１Ｂは、延設部材５１の各面に蔓草模様の装飾を形成させる。延設部材５１の第１部分５１０Ａのうち、第２部分５１０Ｂが設けられていない部分の下側の端部である下端部５１３に、上側に向けて凹んだ凹部５１Ａが設けられる。
【００２１】
延設部材５１は、連結部５６によってレンズ組立体１１の左端部に連結される。より詳細には、連結部５６は、延設部材５１の第１部分５１０Ａの左右両側の端部のうち、第２部分５１０Ｂが設けられた側と反対側の端部である一端部５１１と、リム３１の左枠部３１Ｂとを連結する。連結部５６は、リム３１に対して延設部材５１を回転可能に支持する。連結部５６は、上下方向に延びる軸を中心として回転可能な、所謂丁番である。以下、延設部材５１の左右両側の端部のうち、一端部５１１と対向する端部を、「他端部５１２」という。
【００２２】
延設部材５２の第１部分５２０Ａ、第２部分５２０Ｂ、一端部５２１、他端部５２２、下端部５２３、凹部５２Ａ、及び、凸部５２Ｂは、それぞれ、延設部材５１の第１部分５１０Ａ、第２部分５１０Ｂ、一端部５１１、他端部５１２、下端部５１３、凹部５１Ａ、及び、凸部５１Ｂに対応する。延設部材５２は、連結部５７によってレンズ組立体１１の右端部に連結される。より詳細には、連結部５７は、延設部材５２の一端部５２１と、リム３２の右枠部３２Ｂとを連結する。連結部５７は、リム３２に対して延設部材５２を回転可能に支持する。
【００２３】
図１、図２に示すように、連結部５６によって延設部材５１が回転し、一端部５１１から他端部５１２に向かう方向がレンズ組立体１１から離隔する外方向（左方向）に延びた状態となった場合、延設部材５１は、レンズ組立体１１の左端部から左側に突出する。又、連結部５７によって延設部材５２が回転し、一端部５２１から他端部５２２に向かう方向がレンズ組立体１１から離隔する外方向（右方向）に延びた状態となった場合、延設部材５２は、レンズ組立体１１の右端部から右側に突出する。以下、図１、図２に示す延設部材５の状態を、「第１状態」という。図２に示すように、第１状態における延設部材５１の他端部５１２と延設部材５２の他端部５２２との間の左右方向の長さを、Ｌ１と表記する。
【００２４】
一方、図３、図４に示すように、連結部５６によって延設部材５１が回転し、一端部５１１から他端部５１２に向かう方向がレンズ組立体１１の内方向（右方向）に延びた状態となった場合、延設部材５１は、レンズ２１の左側の一部と前後方向に重複する。延設部材５１は、レンズ組立体１１の左端部から左側に突出しない。又、連結部５７によって延設部材５２が回転し、一端部５２１から他端部５２２に向かう方向がレンズ組立体１１の内方向（左方向）に延びた状態となった場合、延設部材５２は、レンズ２２の右側の一部と前後方向に重複する。延設部材５２は、レンズ組立体１１の右端部から右側に突出しない。以下、図３、図４に示す延設部材５の状態を、「第２状態」という。図４に示すように、第２状態における延設部材５１の一端部５１１と延設部材５２の一端部５２１との間の左右方向の長さを、Ｌ２と表記する。Ｌ２は、リム３全体の左右方向の長さと等しい。又、Ｌ２は、Ｌ１（図２参照）よりも短い。
【００２５】
＜本体眼鏡７＞
図５を参照し、本体眼鏡７について説明する。本体眼鏡７は周知の眼鏡である。本体眼鏡７は、レンズ８１、リム８２、ブリッジ８３、ヨロイ９１、ヒンジ９２１、９２２、及び、テンプル９３を有する。レンズ８１は、レンズ８１１、８１２を有する。レンズ８１１、８１２は、左右方向に配列する。レンズ８１１は、レンズ８１２に対して左側に配置される。レンズ８１１、８１２の光軸は、前後方向を向く。リム８２は、レンズ８１を保持するフルリムである。リム８２は、リム８２１、８２２を有する。リム８２１はレンズ８１１を保持し、リム８２２はレンズ８１２を保持する。ブリッジ８３は、リム８２１、８２２を接続する。
【００２６】
ヨロイ９１は、ヨロイ９１１、９１２を有する。ヨロイ９１１は、リム８２１の左端から左側に延び、後側に曲折して後側に延びる。ヨロイ９１２は、リム８２２の右端から右側に延び、後側に曲折して後側に延びる。ヨロイ９１１、９１２のそれぞれの後側に延びる部分の左右方向の幅は、延設部材５の凹部５１Ａ、５２Ａ（図１、図２参照）の幅よりも僅かに小さい。テンプル９３は、テンプル９３１、９３２を有する。テンプル９３１は、ヨロイ９１１の後端部に、ヒンジ９２１によって接続される。テンプル９３２は、ヨロイ９１２の後端部に、ヒンジ９２２によって接続される。テンプル９３１は、ヒンジ９２１が回転することによって、ヨロイ９１１の後端部から後側に延びた状態と、ヨロイ９１１の後端部から右側に延びた状態とに変化する。テンプル９３２は、ヒンジ９２２が回転することによって、ヨロイ９１２の後端部から後側に延びた状態と、ヨロイ９１２の後端部から左側に延びた状態とに変化する。
【００２７】
テンプル９３１、９３２がそれぞれ後側に延びた状態での、テンプル９３１、９３２の間隔と、ヨロイ９１１、９１２のそれぞれの後端部の間隔とは同一である。以下、これらの長さを、Ｌ３と表記する。Ｌ３は、ヨロイ９１１とテンプル９３１との近接部分、即ち、ヒンジ９２１が設けられた部分と、ヨロイ９１２とテンプル９３２との近接部分、即ち、ヒンジ９２２が設けられた部分との間の長さに対応する。Ｌ３は、Ｌ１（図２参照）よりも短く、Ｌ２（図４参照）よりも長い。
【００２８】
＜使用方法＞
内掛け式眼鏡１は、本体眼鏡７の内側に装着されて使用される。装着方法の具体例は、次の通りである。図５に示すように、内掛け式眼鏡１の延設部材５が第１状態とされる。本体眼鏡７の上側に、延設部材５を第１状態とした内掛け式眼鏡１が配置される。内掛け式眼鏡１のレンズ２は、本体眼鏡７のレンズ８１よりも後側に配置される。次に、内掛け式眼鏡１は下側に移動される。図６に示すように、延設部材５１の凹部５１Ａは、本体眼鏡７のヨロイ９１１のうち後側に延びる部分に、上側から係合する。延設部材５２の凹部５２Ａは、本体眼鏡７のヨロイ９１２のうち後側に延びる部分に、上側から係合する。内掛け式眼鏡１は、延設部材５によって本体眼鏡７の内側に固定される。
【００２９】
内掛け式眼鏡１が本体眼鏡７の内側に固定された状態で、本体眼鏡７のレンズ８１１の後側に、内掛け式眼鏡１のレンズ２１が配置され、本体眼鏡７のレンズ８１２の後側に、内掛け式眼鏡１のレンズ２２が配置される。この状態で、ユーザは本体眼鏡７のテンプル９３を耳にかける。これによって、ユーザは、本体眼鏡７のレンズ８１、及び、内掛け式眼鏡１のレンズ２を介して前方を視認できる。
【００３０】
又、内掛け式眼鏡１は、上記の使用方法と異なり、単体で使用される場合もある。具体的には次の通りである。図７に示すように、内掛け式眼鏡１の延設部材５が第１状態とされる。ユーザは、第１状態とした延設部材５１、５２の何れかを指でつまんで所持し、内掛け式眼鏡１を眼前に配置させる。なお、延設部材５１の第２部分５１０Ｂは、第１部分５１０Ａから下側に向けて延び、延設部材５２の第２部分５２０Ｂは、第１部分５２０Ａから下側に向けて延びている。このため、ユーザは、延設部材５１、５２の第２部分５１０Ｂ、５２０Ｂを指でつまんでレンズ２を眼前に配置させた状態で、内掛け式眼鏡１を無理なく保持できる。又、延設部材５１、５２の各面（一方側の面及び他方側の面）に形成された複数の凸部５１Ｂ、５２Ｂは、ユーザが延設部材５１、５２を指で両側からつまんだときに滑ることを防止する。内掛け式眼鏡１のレンズ２１が左眼の前に配置され、レンズ２２が右眼の前に配置される。ユーザは、内掛け式眼鏡１のレンズ２のみを介して、前方を視認できる。
【００３１】
＜眼鏡ケース６＞
図８は、内掛け式眼鏡１及び本体眼鏡７を収容するための眼鏡ケース６を示す。眼鏡ケース６は、容器部６１及び蓋部６２を有する。容器部６１は、上端部が開口した容器状の部位である。以下、容器部６１によって形成される内部空間を、「収容部６１Ａ」という。収容部６１Ａの左右方向の長さは、本体眼鏡７の左右方向の長さよりも僅かに大きい。収容部６１Ａに、空間を前後方向に２分する間仕切り６３が設けられる。以下、収容部６１Ａの間仕切り６３で仕切られた２つの空間のうち、前側の空間を、「前空間６３Ａ」といい、後側の空間を、「後空間６３Ｂ」という。蓋部６２は、容器部６１の前側の側壁に設けられる。蓋部６２は、容器部６１の開口を開放した状態（図８の状態）と、閉塞した状態とに切り替え可能である。
【００３２】
内掛け式眼鏡１は、延設部材５を第２状態とした状態で、収容部６１Ａのうち前空間６３Ａに収容される。なお、本体眼鏡７は、テンプル９３が折り畳まれた状態で、収容部６１Ａの後空間６３Ｂに収容される。
【００３３】
＜本考案の主たる作用、効果＞
以上説明したように、内掛け式眼鏡１では、第１状態に切り替えられた延設部材５が、本体眼鏡７のヨロイ９１１、９１２の上側に係止されることによって、本体眼鏡７に装着される。従って、内掛け式眼鏡１を装着するための専用部材が、本体眼鏡７に設けられていない場合でも、内掛け式眼鏡１を本体眼鏡７に装着できるので、内掛け式眼鏡１の汎用性を高めることができる。又、第１状態に切り替えられた延設部材５は、レンズ組立体１１（レンズ２、リム３、及び、ブリッジ４）に対して左右外側に突出する。このため、例えば、内掛け式眼鏡１が単体で拡大鏡等として用いられる場合に、ユーザは、延設部材５を手で所持し易くなる。更に、延設部材５が第２状態に切り替えられた状態で、延設部材５は、レンズ組立体１１の左右両端部よりも内側に配置される。この場合、延設部材５は、レンズ組立体１１に対して左右外側に突出しないので、ユーザは、内掛け式眼鏡１を携帯所持することが容易に可能となる。又、延設部材５を第２状態とした状態で内掛け式眼鏡１を収容するための眼鏡ケース６の左右方向の幅を小さくできる。更に、内掛け式眼鏡１を眼鏡ケース６に収容するときに、延設部材５が眼鏡ケース６に引っ掛かることを防止できる。
【００３４】
内掛け式眼鏡１が本体眼鏡７に装着される場合、延設部材５１の凹部５１Ａは、本体眼鏡７のヨロイ９１１のうち後側に延びる部分に上側から係合する。延設部材５２の凹部５２Ａは、本体眼鏡７のヨロイ９１２のうち後側に延びる部分に上側から係合する。これによって、内掛け式眼鏡１を本体眼鏡７に安定的に係止させることができる。
【００３５】
延設部材５を第１状態とした場合の、他端部５１２、５２２の間の長さＬ１は、Ｌ３よりも長い。Ｌ３は、ヨロイ９１１とテンプル９３１との近接部分と、ヨロイ９１２とテンプル９３２との近接部分との間の長さに対応する。このため、延設部材５を第１状態とした状態で、本体眼鏡７に内掛け式眼鏡１を上側から容易に引っ掛けることができる。このため、本体眼鏡７に対して内掛け式眼鏡１を安定的に係止させることができる。一方、延設部材５を第２状態とした場合の、一端部５１１、５２１の間の長さＬ２は、Ｌ３よりも短い。このため、延設部材５を第２状態とした状態で、内掛け式眼鏡１の携帯性を高めることができる。
【００３６】
延設部材５１、５２は、一方側の面及び他方側の面のそれぞれに、複数の凸部５１Ｂ、５２Ｂを備えている。複数の凸部５１Ｂ、５２Ｂは、延設部材５１、５２の各面に蔓草模様の装飾を形成させる。複数の凸部５１Ｂ、５２Ｂによって形成される装飾は、延設部材５１、５２の見栄えを良好にできると同時に、延設部材５１、５２をユーザが指で両側からつまんだときに滑ることを防止できる。
【００３７】
延設部材５１の第２部分５１０Ｂは、第１部分５１０Ａから下側に向けて延びる。延設部材５２の第２部分５２０Ｂは、第１部分５２０Ａから下側に向けて延びる。このため、ユーザは、第２部分５１０Ｂ、５２０Ｂを指でつまんでレンズ２を眼前に配置させた状態で、内掛け式眼鏡１を無理なく保持できる。
【００３８】
なお、内掛け式眼鏡１のレンズ２を、近視用レンズ、遠視用レンズ、及び、遠近両用レンズの何れかとすることによって、内掛け式眼鏡１を、近視用、遠視用、及び、遠近両用の何れかの補助眼鏡として使用できる。
【００３９】
＜変形例＞
なお、本考案は上記実施形態に限定されず、種々の変更が可能である。延設部材５１は、連結部５６によってリム３１に回転可能に連結され、延設部材５２は、連結部５７によってリム３２に回転可能に連結された。連結部５６、５７は、所謂丁番であった。これに対し、延設部材５は、弾性変形可能な材料（例えば、ゴム等）によって構成された部材によって、リム３に連結されていてもよい。延設部材５は、この部材が弾性変形することによって、第１状態と第２状態とに切り替えられてもよい。内掛け式眼鏡１のリム３は、フルリムであった。又、延設部材５は、リム３の左右両端部に設けられていた。これに対し、内掛け式眼鏡１にリムは設けられず、レンズ２はブリッジ４のみによって保持されてもよい。この場合、延設部材５１は、レンズ２１の左端部に設けられてもよい。延設部材５２は、レンズ２２の右端部に設けられてもよい。内掛け式眼鏡１は、延設部材５１の凹部５１Ａがヨロイ９１１に上側から係合し、延設部材５２の凹部５２Ａがヨロイ９１２に上側から係合することによって、本体眼鏡７に装着された。これに対し、内掛け式眼鏡１は、延設部材５１の凹部５１Ａがテンプル９３１に上側から係合し、延設部材５２の凹部５２Ａがテンプル９３２に上側から係合することによって、本体眼鏡７に装着されてもよい。
【００４０】
延設部材５の形状は板状に限定されない。例えば、延設部材５の表面に形成された複数の凸部５１Ｂの代わりに、プレス加工によって、凹部及び凸部によって形成される別の柄の装飾（例えば、花模様など）が施されていてもよい。第１状態における延設部材５１の、一端部５１１から他端部５１２に向けて延びる方向は、左方向に対して前側又は後側に傾斜してもよい。第１状態における延設部材５２の、一端部５２１から他端部５２２に向けて延びる方向は、右方向に対して前側又は後側に傾斜してもよい。
【００４１】
延設部材５に凹部５１Ａ、５２Ａは設けられていなくてもよい。この場合、内掛け式眼鏡１は、延設部材５１の下端部５１３がヨロイ９１１に上側から接触し、延設部材５２の下端部５２３がヨロイ９１２に上側から接触した状態、即ち、延設部材５がヨロイ９１に載置された状態となることによって、本体眼鏡７に装着されてもよい。
【符号の説明】
【００４２】
１        ：内掛け式眼鏡
２、２１、２２        ：レンズ
５、５１、５２        ：延設部材
７        ：本体眼鏡
１１      ：レンズ組立体
１２      ：保持部材
５１Ａ、５２Ａ    ：凹部
９１、９１１、９１２      ：ヨロイ
９３、９３１、９３２      ：テンプル
【図１】
0003205656.tif 000003
【図２】
0003205656.tif 000004
【図３】
0003205656.tif 000005
【図４】
0003205656.tif 000006
【図５】
0003205656.tif 000007
【図６】
0003205656.tif 000008
【図７】
0003205656.tif 000009
【図８】
0003205656.tif 000010